(57)【特許請求の範囲】
【請求項１】
撮影空間内の少なくとも一人の利用者を撮影する撮影手段と、
撮影した画像を編集許容する編集手段と、
所定の画像を印刷する印刷手段とを備えた写真シール作成装置であって、
前記撮影空間から前記撮影手段に向かう方向を前方として、
前記撮影空間の上部略中央に配置するとともに、前記撮影空間における後方寄りの空間を照らす中央照明手段、及び前記撮影空間の上部における後方側端部近傍に配置するとともに、前記撮影空間における前方寄りの空間を照らす後部照明手段とを備え、
前記中央照明手段を、
撮影タイミングにあわせて発光するとともに、前記撮影空間の後方斜め下方に向けて光源からの光を拡散照射する構成とし、
前記後部照明手段を、
前記撮影空間の上部における後方側端部近傍において側方に所定の間隔をあけ、且つ、前記撮影手段に対向するとともに、肩を並べて位置する二人の利用者における頭部間と略同等の間隔をあけて横並びに配置して、撮影タイミングにあわせて発光するとともに、前記利用者の頭部幅と略同等な照射幅で、前記利用者の頭上後方から前記利用者の頭頂部に向けて光源からの光を照射する構成とした
写真シール作成装置。
【請求項２】
前記後部照明手段に、
光源からの光の指向性を向上する指向性部材を備えた
請求項１に記載の写真シール作成装置。
【請求項３】
前記中央照明手段を、
撮影タイミングにあわせて後方斜め下方に向けて発光するとともに、光を拡散する拡散板を介して前記撮影空間における後方寄りの空間を照らす第１照明手段と、
撮影タイミングにあわせて前方斜め上方に向けて発光するとともに、光を反射する反射板を介して前記撮影空間における後方寄りの空間を照らす第２照明手段とで構成した
請求項１または２に記載の写真シール作成装置。
【発明の詳細な説明】
【技術分野】
【０００１】
この発明は、例えば、利用者が被写体となった撮影画像を、写真シールとして出力して利用者に提供するような写真シール作成装置に関する。
【背景技術】
【０００２】
従来、利用者が被写体となって自らの操作で撮影した撮影画像に、利用者自身が予め用意されたフレーム画像やスタンプ画像を合成する、あるいはタッチペンを用いて文字などを書き込むなどして編集し、編集した撮影画像をシールとして出力することができる写真シール作成装置が娯楽施設などに設置されている。
【０００３】
この写真シール作成装置は、家族、カップル、友人同士など様々な利用者に利用されているが、その中でも特に女性客に利用されている。このため、昨今、写真シール作成装置は、女性客向けに特化した機能を備えたものが多く普及している。
【０００４】
この女性客向けに特化した機能として、写真写りを良くする画像処理や照明効果がある。特に、照明効果は、被写体に対して様々な角度、あるいはタイミングで光を照射することで、撮影画像における被写体の印象を様々に変化させることができる。
【０００５】
そこで、利用者の頭髪に輝くような艶を出す照明効果が得られる写真シール作成装置が提案されている。  
例えば、特許文献１の写真プリント装置（本願の写真シール作成装置に相当）には、特定の領域のみを照射する正面ストロボライト、及び後部ストロボライトを備えている。
【０００６】
正面ストロボライトは、利用者を撮影するカメラユニットの上部に設けられ、利用者の頭髪部に向けて照射することで、頭髪に輝くような艶のある写真を得ることができるとされている。
【０００７】
また、後部ストロボライトは、写真プリント装置の背面側上部に設けられ、利用者の背後上方から側頭部に向けて照射することで、利用者の輪郭を明るくぼやけさせた状態の写真を得ることができるとされている。
【０００８】
しかしながら、特許文献１の正面ストロボライトは、利用者の正面に配置しているため、撮影時に利用者が眩しく感じて目をつぶる、あるいは表情が強張るなどの影響が出るおそれがある。さらに、利用者がカメラユニットから離れるほど、正面ストロボライトなどの照明装置による照明が届き難くなる。このため、利用者の顔が明るく、かつ頭髪に輝くような艶のある写真を得られ難いという問題がある。
【先行技術文献】
【特許文献】
【０００９】
【特許文献１】特開２００４−２８７３６９号公報
【発明の概要】
【発明が解決しようとする課題】
【００１０】
本発明は、上述の問題に鑑み、利用者の顔を明るく写すとともに、頭髪に輝くような艶のある写真シールを利用者に提供することができる写真シール作成装置を提供することを目的とする。
【課題を解決するための手段】
【００１１】
この発明は、撮影空間内の少なくとも一人の利用者を撮影する撮影手段と、撮影した画像を編集許容する編集手段と、所定の画像を印刷する印刷手段とを備えた写真シール作成装置であって、前記撮影空間から前記撮影手段に向かう方向を前方として、前記撮影空間の上部略中央に配置するとともに、前記撮影空間における後方寄りの空間を照らす中央照明手段、及び前記撮影空間の上部における後方側端部近傍に配置するとともに、前記撮影空間における前方寄りの空間を照らす後部照明手段とを備え、前記中央照明手段を、撮影タイミングにあわせて発光するとともに、前記撮影空間の後方斜め下方に向けて光源からの光を拡散照射する構成とし、前記後部照明手段を、前記撮影空間の上部における後方側端部近傍において側方に所定の間隔をあけ、且つ、前記撮影手段に対向するとともに、肩を並べて位置する二人の利用者における頭部間と略同等の間隔をあけて横並びに配置して、撮影タイミングにあわせて発光するとともに、前記利用者の頭部幅と略同等な照射幅で、前記利用者の頭上後方から前記利用者の頭頂部に向けて光源からの光を照射する構成としたことを特徴とする。  
上記所定の画像は、撮影手段で撮影した画像、あるいは編集手段で編集した画像とすることができる。
【００１２】
この発明により、頭髪に輝くような艶のある写真シールを利用者に提供できる写真シール作成装置を構成することができる。
【００１３】
具体的には、中央照明手段は、光源からの光を後方斜め下方に向けて拡散照射することにより、利用者が撮影手段から離れて撮影する、すなわち、利用者が撮影空間の後方寄りに位置して撮影しても、利用者に十分な照明をあてることができる。これにより、写真シール作成装置は、撮影手段から離れて撮影しても、利用者の顔を明るくした撮影画像を得ることができる。さらに、写真シール作成装置は、利用者の前頭部などにおける頭髪に輝くような艶のある撮影画像を得ることができる。
【００１４】
また、後部照明手段は、利用者の頭部幅と略同等な照射幅で、利用者の頭上後方から利用者の頭頂部に向けて照射することができる。これにより、写真シール作成装置は、光源からの光の照射範囲を限定して、撮影空間の後方寄りで撮影する利用者の頭頂部の頭髪に輝くような艶、例えば、天使の輪を表現した撮影画像を得ることができる。加えて、照射幅を限定することで、後部照明手段による逆光を防止して、利用者の顔を明るく写した撮影画像を得ることができる。
【００１５】
さらに、後部照明手段は、利用者の頭部幅と略同等な照射幅の光を利用者に照射するため、利用者の側頭部などに光が当たり難くなり、利用者の輪郭がぼやけた撮影画像となることを防止できる。すなわち、写真シール作成装置は、利用者の輪郭がはっきりとした撮影画像を得ることができる。  
さらにまた、後部照明手段を二つ並べて配置したことにより、利用者が二人いる場合においても、それぞれの利用者に適切に照明することができる。
【００１６】
なお、利用者が撮影空間の前方寄りで撮影する場合には、写真シール作成装置は、従来の照明装置による照明によって、利用者の顔を明るく写した撮影画像を得ることができる。
【００１７】
従って、写真シール作成装置は、利用者の顔をはっきり、明るく写すとともに、頭髪に輝くような艶のある写真シールを利用者に提供することができる。
【００１８】
さらに、二人の利用者が肩を並べて撮影する場合であっても、後部照明手段は、それぞれの利用者の頭頂部を照らすことができる。これにより、写真シール作成装置は、それぞれの利用者の頭髪に輝くような艶のある撮影画像を得ることができる。
【００１９】
従って、写真シール作成装置は、撮影空間内で二人の利用者が撮影する場合においても、それぞれの利用者の頭髪に輝くような艶のある写真シールを利用者に提供することができる。
【００２０】
この発明の態様として、前記後部照明手段に、光源からの光の指向性を向上する指向性部材を備えることができる。  
この発明により、後部照明手段は、光源からの光の指向性を向上して、利用者の頭頂部に向けて照射することができる。すなわち、利用者の輪郭がぼやけた撮影画像となることをより確実に防止するとともに、利用者の頭頂部を確実に照らすことができる。これにより、写真シール作成装置は、頭頂部の頭髪に輝くような艶のある撮影画像を得ることができる。  
従って、写真シール作成装置は、より確実に利用者の顔をはっきりと写すとともに、頭髪に輝くような艶のある写真シールを利用者に提供することができる。
【００２１】
また、この発明の態様として、前記中央照明手段を、撮影タイミングにあわせて後方斜め下方に向けて発光するとともに、光を拡散する拡散板を介して前記撮影空間における後方寄りの空間を照らす第１照明手段と、撮影タイミングにあわせて前方斜め上方に向けて発光するとともに、光を反射する反射板を介して前記撮影空間における後方寄りの空間を照らす第２照明手段とで構成することができる。
【００２２】
この発明により、中央照明手段は、撮影空間における後方寄りの空間を万遍なく照らすことができる。  
具体的には、第１照明手段は、光を拡散する拡散板により、撮影空間における後方寄りの空間を柔らかい光で照らすことができる。これにより、第１照明手段は、拡散板を介して間接的に利用者を照らすため、撮影時における発光が利用者の表情に影響するおそれがない。また、撮影空間内における後方寄りに位置して撮影する利用者を適度に照明して、利用者の顔が明るく、かつ立体感があるとともに、頭髪に艶のある撮影画像を得ることができる。
【００２３】
一方、第２照明手段は、前方斜め上方に向けて発光した光を反射板で反射して、撮影空間における後方寄りの空間を照らすことができる。そして、第２照明手段は、反射板を介することで、第１照明手段よりも柔らかい光で、広範囲を照らすことができる。これにより、撮影空間内にいる複数の利用者の間、あるいは利用者のポーズによって生じる不要な影の発生を抑えることができる。例えば、撮影空間内における後方寄りに二人の利用者が肩を並べて位置して、二人の間の前方に一人の利用者が位置するような場合、後方寄りの二人の利用者間に前方の利用者による影が生じることを抑制できる。
【００２４】
つまり、第１照明手段、及び第２照明手段で構成した中央照明手段は、撮影空間における後方寄りの空間を柔らかい光で万遍なく照らすことができる。これにより、写真シール作成装置は、利用者の顔を明るく写しながらも、利用者の表情が強張った撮影画像となることを防止できる。
【００２５】
従って、写真シール作成装置は、撮影空間内の利用者を万遍なく照明して、利用者の顔をより確実に明るく写すとともに、頭髪に輝くような艶のある写真シールを利用者に提供することができる。
【発明の効果】
【００２６】
本発明により、利用者の顔を明るく写すとともに、頭髪に輝くような艶のある写真シールを利用者に提供できる写真シール作成装置を提供することができる。
【図面の簡単な説明】
【００２７】
【図１】写真シール作成装置の外観を示す上方からの外観斜視図。
【図２】写真シール作成装置の外観を示す下方からの外観斜視図。
【図３】前部ユニットにおける利用者と対面する面の構成を示す前部ユニット正面図。
【図４】撮影空間内における利用者、天井中央ストロボユニット、及び天井後部ストロボユニットの位置関係を側面視で説明する説明図。
【図５】天井中央ストロボユニットの構成を示す下方からの斜視図。
【図６】撮影空間内における利用者、及び天井後部ストロボユニットの位置関係を平面視で説明する説明図。
【図７】第１後部ストロボにおける照射面の開口部を示す開口部正面図。
【図８】編集ユニットの正面構成を示す編集ユニット正面図。
【図９】編集ユニットの側面構成を示す編集ユニット側面図。
【図１０】写真シール作成装置の内部構成を示すブロック図。
【図１１】写真シール作成ゲーム処理の動作を示すフローチャート。
【図１２】第１後部ストロボにおける照射面の開口部の別の実施形態を示す開口部正面図。
【発明を実施するための形態】
【００２８】
この発明の一実施形態を以下図面と共に説明する。  
なお、図１は写真シール作成装置１００の上方からの外観斜視図を示し、図２は写真シール作成装置１００の下方からの外観斜視図を示し、図３は前部ユニット１２０における利用者と対面する面の構成の前部ユニット正面図を示し、図４は撮影空間Ｓ内における利用者、天井中央ストロボユニット１５０、及び天井後部ストロボユニット１６０の位置関係を側面視で説明する説明図を示し、図５は天井中央ストロボユニット１５０の下方からの斜視図を示している。さらに、図６は撮影空間Ｓ内における利用者、及び天井後部ストロボユニット１６０の位置関係を平面視で説明する説明図を示し、図７は第１後部ストロボ１６２における照射面１６２ｂの開口部１６２ｃの開口部正面図を示し、図８は編集ユニット１４０の正面構成の編集ユニット正面図を示し、図９は編集ユニット１４０の側面構成の編集ユニット側面図を示している。  
また、図１、及び図２において、図中の右方向を写真シール作成装置１００の前方とし、図中の左方向を写真シール作成装置１００の後方とする。
【００２９】
まず、本実施形態に用いる写真シール作成装置１００について説明する。  
写真シール作成装置１００は、図１、及び図２に示すように、筐体１０１に撮影ユニット１１０、編集ユニット１４０、天井中央ストロボユニット１５０、天井後部ストロボユニット１６０、及び背景カーテンユニット１７０を組み付けて構成している。
【００３０】
撮影ユニット１１０は、利用者が硬貨を投入して実際に撮影する、所謂、撮影ブースである。そして、撮影ユニット１１０は、カメラ機能を有する前部ユニット１２０と、背景としての機能を有する後部ユニット１３０とが前後方向に所定の間隔を介して対面するように配置して構成している。この前部ユニット１２０、及び後部ユニット１３０で挟まれた空間を撮影空間Ｓとして構成している。
【００３１】
なお、撮影空間Ｓの左右方向幅は、少なくとも二人の利用者が前部ユニット１２０に対面するとともに、肩を並べて撮影可能な幅とする。好ましくは、二人の利用者がそれぞれ簡単なポーズを取れる程度に離れて撮影可能な幅とする。あるいは、一方の利用者の伸ばした手が他方の利用者の遠い方の肩にかかる程度に二人の利用者が間隔をあけて並んで撮影可能な幅としてもよい。
【００３２】
前部ユニット１２０は、写真シール作成装置１００の略中央に配置して、利用者が対面して撮影を行う機能を有するユニットである。  
この前部ユニット１２０の利用者と対面する面は、図３に示すように、略中央にカメラ１２１、タッチパネルモニタ１２２、及びカメラ上部ストロボ１２３を配置し、その周囲に傘状ストロボ１２４（１２４ａ〜１２４ｃ）を配置するとともに、タッチパネルモニタ１２２の下方に箱状ストロボ１２５（１２５ａ、１２５ｂ）を配置して構成している。
【００３３】
さらに、前部ユニット１２０の箱状ストロボ１２５の両サイドに利用者の荷物を一時的に置く荷物置き場１２６を配置して構成している。なお、向かって右側の荷物置き場１２６の下部には、利用者が投入する硬貨の受け付け及び返却の機能を有する硬貨投入返却口１２７、及び撮影にかかる音声案内を出力するスピーカ１２８を備えている。
【００３４】
カメラ１２１は、撮影空間Ｓで前部ユニット１２０と対面する利用者を撮影する機能を有し、撮影空間Ｓ（後部ユニット１３０）に向けて配置している。  
タッチパネルモニタ１２２は、カメラ１２１で撮影する利用者の映像を表示する機能と、利用者の各種操作を受け付ける機能を有し、カメラ１２１の下部に配置している。
【００３５】
カメラ上部ストロボ１２３は、撮影のタイミングに合わせて発光する機能を有し、カメラ１２１の上部に配置している。  
傘状ストロボ１２４は、撮影のタイミングに合わせて発光する機能を有し、撮影空間Ｓに向けてカメラ１２１の左右両側に配置した中段傘状ストロボ１２４ａ、及び１２４ｂと、撮影空間Ｓに向けてカメラ１２１の上部に配置した上段傘状ストロボ１２４ｃとで構成している。
【００３６】
箱状ストロボ１２５は、タッチパネルモニタ１２２の下部から後方斜め下方に傾斜するとともに、光源の光を透過する傾斜ストロボ面１２５ａと、傾斜ストロボ面１２５ａの先端から垂設するとともに、光源の光を透過する足元ストロボ面１２５ｂとを有する略箱状に形成している。そして、箱状ストロボ１２５は、撮影タイミングにあわせて発光し、発光した光が傾斜ストロボ面１２５ａを介して利用者を下方から照らし、足元ストロボ面１２５ｂを介して利用者の足元を照らす機能を有している。
【００３７】
なお、箱状ストロボ１２５の傾斜ストロボ面１２５ａがタッチパネルモニタ１２２の直下にあるので、利用者は、カメラ１２１を覗き込むようにして撮影することが難しく、カメラ１２１に対して適度に離れて撮影することとなる。これにより、カメラ上部ストロボ１２３、傘状ストロボ１２４、及び箱状ストロボ１２５の照明範囲外で、利用者が撮影することを防止でき、利用者がアップで撮影する場合において、利用者の顔が照明されず明るさの暗い撮影画像になることを防止できる。
【００３８】
また、後部ユニット１３０は、図１、及び図２に示すように、前部ユニット１２０に対面するとともに、撮影空間Ｓを挟んで写真シール作成装置１００の後部に配置している。この後部ユニット１３０は、利用者が実際に撮影する際の背景としての機能を有するユニットであり、その内部は空洞となっている。そして、後部ユニット１３０の上部には、背景カーテンユニット１７０を設置している。  
背景カーテンユニット１７０は、図１に示すように、後部ユニット１３０の上部に設置し、例えば、背景に利用する可動式の背景カーテンを格納している。
【００３９】
このように撮影空間Ｓを挟んで対面して配置した前部ユニット１２０、及び後部ユニット１３０からなる撮影ユニット１１０の上部には、撮影空間Ｓ内を照らす天井中央ストロボユニット１５０、及び天井後部ストロボユニット１６０を設置している。
【００４０】
天井中央ストロボユニット１５０は、図１、及び図２に示すように、撮影空間Ｓの上部において前後方向略中央に設置している。そして、天井中央ストロボユニット１５０は、図４、及び図５に示すように、撮影ユニット１１０の上部における左右の上縁部をまたぐように掛け渡して設置した基板部１５１、基板部１５１を下方から覆うカバー部１５２、基板部１５１とカバー部１５２とで形成する空間内において、基板部１５１の底面（撮影空間Ｓ側）に備えた２つの照明灯１５３、第１天井ストロボ１５４、及び第２天井ストロボ１５７で構成している。
【００４１】
基板部１５１は、略平板状に形成するとともに、左右方向端部を撮影ユニット１１０の上部における左右の上縁部に固定可能に形成している。  
カバー部１５２は、乳白色のアクリル製であって、撮影空間Ｓに向けて突出して湾曲した形状に形成している。
【００４２】
照明灯１５３は、基板部１５１の底面（撮影空間Ｓ側）における前方、及び後方端部近傍に設置している。この２つの照明灯１５３は、常時点灯して撮影空間Ｓ内を照明している。
【００４３】
第１天井ストロボ１５４は、図５に示すように、基板部１５１の底面の略中央において、２つの照明灯１５３間の後方寄りに設置している。そして、第１天井ストロボ１５４は、撮影タイミングにあわせて発光して、撮影空間Ｓにおける後方寄りの空間を照らす機能を有している。詳述すると、第１天井ストロボ１５４は、光源からの光を照射する第１発光部１５５、及び光源からの光を拡散する拡散板１５６で構成している。
【００４４】
第１発光部１５５は、内部に収容した光源（図示省略）の光を照射可能に開口した略箱状に形成するとともに、開口を後方斜め下方に向けて基板部１５１に釣止している。  
拡散板１５６は、乳白色のアクリル板であって、第１発光部１５５の開口を覆うように設置している。
【００４５】
第２天井ストロボ１５７は、図５に示すように、基板部１５１の底面の略中央において、照明灯１５３間の前方寄りに設置している。そして、第２天井ストロボ１５７は、撮影タイミングにあわせて発光して、撮影空間Ｓにおける後方寄りの空間を照らす機能を有している。詳述すると、第２天井ストロボ１５７は、光源からの光を照射する第２発光部１５８、及び光源からの光を反射する反射板１５９で構成している。
【００４６】
第２発光部１５８は、内部に収容した光源（図示省略）の光を照射可能に開口した略箱状に形成するとともに、開口を前方斜め上方に向けて基板部１５１に釣止している。また、第２発光部１５８には、上下方向における光の指向性を向上する遮蔽板１５８ａを備えている。
【００４７】
反射板１５９は、第２発光部１５８の前方において、基板部１５１から釣止している。この反射板１５９は、略薄板状の金属板であって、基板部１５１に固定する基部１５９ａ、基部１５９ａから下方に垂設した垂設部１５９ｂ、垂設部１５９ｂから前方斜め下方に延設するとともに、第２発光部１５８の開口前方に位置する反射面１５９ｃ、及び反射面１５９ｃから後方斜め下方に延設した先端面１５９ｄで一体に形成している。
【００４８】
また、天井後部ストロボユニット１６０は、図２、及び図４に示すように、撮影空間Ｓの上部において、天井中央ストロボユニット１５０より後方、かつ後部ユニット１３０の近傍に配置している。そして、天井後部ストロボユニット１６０は、図２、及び図４に示すように、撮影ユニット１１０の上部における左右の上縁部をまたぐように掛け渡して設置した基板部１６１、基板部１６１にぶら下がるように設置した第１後部ストロボ１６２、及び第２後部ストロボ１６３で構成している。
【００４９】
基板部１６１は、略平板状に形成するとともに、左右方向端部を撮影ユニット１１０の上部における左右の上縁部に固定可能に形成している。  
第１後部ストロボ１６２は、図２、及び図４に示すように、基板部１６１の底面に設置するとともに、撮影タイミングにあわせて発光して、撮影空間Ｓにおける前方寄りの空間を照らす機能を有している。
【００５０】
詳述すると、第１後部ストロボ１６２は、図４に示すように、撮影タイミングにあわせて発光する光源部１６２ａを内部に収容するとともに、図６に示すように、平面視において利用者Ｍの頭部幅と略同等の横幅を有する略箱状に形成している。さらに、第１後部ストロボ１６２は、光源部１６２ａからの光を前方斜め下方に向けて照射する照射面１６２ｂを下部前方側に有する形状に形成している。
【００５１】
この照射面１６２ｂは、図４、及び図７に示すように、光源部１６２ａからの光を撮影空間Ｓ内における後方寄りで撮影する利用者Ｍの頭部（頭頂部Ｍｈ）に向けて照射可能に開口部１６２ｃを形成している。さらに、この開口部１６２ｃには、図７に示すように、ルーバー１６２ｄ、及びルーバー１６２ｄの背面に乳白色のアクリル板１６２ｅを備えている。
【００５２】
このルーバー１６２ｄは、光源部１６２ａからの光の指向性を向上させて、利用者Ｍの頭部幅と略同等の照射幅Ｗ（図６参照）で照射する機能を有している。なお、ルーバー１６２ｄは、左右方向に延びた複数の横板のほかに横板間を上下方向で接続する縦板を複数設けている。  
アクリル板１６２ｅは、光源部１６２ａの光の強さを調整する機能を有している。
【００５３】
第２後部ストロボ１６３は、光源部１６３ａ、照射面１６３ｂ、開口部１６３ｃ、ルーバー１６３ｄ、及びアクリル板１６３ｅで構成しているが、第１後部ストロボ１６２と同一の構成のため、詳しい説明を省略する。
【００５４】
そして、第１後部ストロボ１６２、及び第２後部ストロボ１６３は、図４、及び図６に示すように、基板部１６１の下面において、所定の間隔をあけて横並びに配置している。詳述すると、撮影空間Ｓ内において、前部ユニット１２０にそれぞれ対向するとともに、肩を並べて撮影する二人の利用者Ｍの頭上後方に第１後部ストロボ１６２、及び第２後部ストロボ１６３を設置している。
【００５５】
換言すると、第１後部ストロボ１６２、及び第２後部ストロボ１６３は、収容空間Ｓ内において、二人の利用者Ｍが前部ユニット１２０にそれぞれ対向するとともに、肩を並べて位置する利用者Ｍの頭部間と略同等の間隔をあけて基板部１６１に横並びで配置している。
【００５６】
また、編集ユニット１４０は、図１、及び図２に示すように、前部ユニット１２０の前方に隣接して配置して、利用者が撮影した画像に対してフレーム画像やスタンプ画像、文字入力による落書きなどの編集作業を行う機能と、デモ画面等を表示する機能を有している。
【００５７】
具体的には、編集ユニット１４０は、図２、図８、及び図９に示すように、利用者が写真シール作成装置１００の右側から入場して編集作業を行う第１編集部１４０ａと、利用者が写真シール作成装置１００の左側から入場して編集作業を行う第２編集部１４０ｂとが、左右方向で互いに異なる方向に向けて配置した構成となっている。すなわち、編集ユニット１４０は、２組の利用者が同時に撮影画像に対して落書きなどの編集作業を行うことができる構成となっている。
【００５８】
なお、編集ユニット１４０は、撮影ユニット１１０より左右幅が小さく、利用者が編集ユニット１４０を操作して編集作業ができる編集空間を確保できる大きさである。
【００５９】
この第１編集部１４０ａと第２編集部１４０ｂは、互いに異なる方向に向けて配置している点を除けば、同一の構成であることから、ここでは第１編集部１４０ａについて詳述し、第２編集部１４０ｂの詳しい説明は省略する。
【００６０】
なお、編集ユニット１４０の構成要素のうち、第１編集部１４０ａの構成要素の符号を「ａ」とし、第２編集部１４０ｂの構成要素の符号を「ｂ」として識別する。
【００６１】
この第１編集部１４０ａは、図８に示すように、上部照明装置１４１ａ、及び編集部１４２ａで構成している。  
上部照明装置１４１は、利用者が編集部で編集作業を行う際の手元を照らす機能を有し、第１編集部１４０ａの上部に設置している。
【００６２】
編集部１４２は、撮影した画像を表示する機能と、利用者が落書きなどの編集作業を受け付ける機能とを有するタブレット内蔵モニタ１４３と、操作案内などの音声を出力するスピーカ１４４と、編集作業に用いる１対のタッチペン１４５とで構成している。
【００６３】
また、編集ユニット１４０の編集部１４２を正面として向かって右側面には、図９に示すように、写真シール排出口１４６、及び事後接客ユニット１８０を備えている。
【００６４】
写真シール排出口１４６は、利用者が第１編集部１４０ａあるいは第２編集部１４０ｂで編集した撮影画像を印刷したシール紙を排出する機能を有し、編集ユニット１４０側面の下方に設置している。なお、写真シール排出口１４６の内部には、後述するプリンタとシール紙ユニットとを内蔵している。
【００６５】
事後接客ユニット１８０は、編集ユニット１４０の右側面上部に配置し、タッチパネルモニタ１８１、スピーカ１８２、及び非接触型ＩＣリーダ／ライタ部１８３で構成している。
【００６６】
タッチパネルモニタ１８１は、シール紙の排出を待つ利用者に対して広告を表示する、あるいはタッチ操作によるゲームなどを表示する機能を有している。  
スピーカ１８２は、シール紙の排出を利用者に知らせる、あるいはタッチパネルモニタ１８１の表示される画面に対応した音声を出力する機能を有している。  
非接触型ＩＣリーダ／ライタ部１８３は、事後接客の際における非接触型ＩＣカードの読取り、及び書込みの機能を有している。
【００６７】
次に、上述した写真シール作成装置１００の内部構成について説明する。  
なお、図１０は写真シール作成装置１００の内部構成のブロック図を示し、すでに上述した構成要素と同じ構成要素については、同じ符号を付しているので、その詳しい説明は省略する。
【００６８】
写真シール作成装置１００の内部構成は、図１０に示すように、制御装置２０１、記憶部２０２、通信部２０３、ドライブ２０４、ＲＯＭ２０６、ＲＡＭ２０７、撮影部２１０、編集部２２０、及び事後接客部２３０で構成している。
【００６９】
制御装置２０１は、各部の動作の制御と、プログラムの実行処理などを行う。  
記憶部２０２は、ハードディスクなどの記憶装置で構成している。この記憶部２０２は、編集処理に使用する編集ツールのデータ、照明設定データ、撮影コースのデータ、事後接客処理のデータ、およびプレイ時間設定データなどの各種データを記憶しており、制御装置２０１による設定情報の読み込みおよび保存を許容する。
【００７０】
通信部２０３は、インターネットなどの通信網を介してサーバ等の適宜の装置と通信するＬＡＮカード等の通信装置で構成している。この通信部２０３は、制御装置２０１の制御信号に従って、撮影画像や編集画像をサーバのデータベースに登録する、あるいはユーザのメールアドレスへ撮影画像や編集画像を送信するといった動作を行う。
【００７１】
ドライブ２０４は、携帯型の不揮発性メモリやＵＳＢメモリといったリムーバブルメディア２０５に対してデータの読み書きを行うドライブ装置で構成している。このドライブ２０４は、制御装置２０１の制御信号に従って、撮影画像や編集画像をユーザの所有するリムーバブルメディア２０５に書き込み、またリムーバブルメディア２０５に記憶している撮影画像や編集画像、あるいは編集用アイテムといったデータを読取る。
【００７２】
ＲＯＭ２０６は、写真シール作成装置１００で実行するゲームのプログラムやメンテナンス用のプログラムなど、各種プログラムやデータを記憶している。ゲームのプログラムには、撮影コースに応じて照明設定や編集ツールを切り替えるプログラムや事後接客のプログラムが含まれている。  
ＲＡＭ２０７は、制御装置２０１によって一時記憶領域として使用される。
【００７３】
また、撮影部２１０は、撮影ユニット１１０の機能ブロックであり、硬貨処理部２１１、背景制御部２１２、照明装置２１３、カメラ１２１、タッチパネルモニタ１２２、及びスピーカ１２８で構成し、それぞれ所定のバスを介して制御部２０１と接続している。
【００７４】
硬貨処理部２１１は、制御装置２０１の指示により硬貨の投入を受け付ける処理と、硬貨投入返却口１２７で受け付けた硬貨の種類、枚数を識別して、識別結果を制御装置２０１に送信する処理を行う。  
背景制御部２１２は、制御装置２０１から受信した背景制御信号に従って背景カーテンユニット１７０を制御し、背景カーテンを昇降させて背景色を制御する。
【００７５】
照明装置２１３は、制御装置２０１から受信した照明制御信号に従い、カメラ上部ストロボ１２３、傘状ストロボ１２４、箱状ストロボ１２５、天井中央ストロボユニット１５０、及び天井後部ストロボユニット１６０を撮影タイミングにあわせて発光して撮影空間Ｓ内を照明する。  
タッチパネルモニタ１２２のライブビューモニタ１２２ａは、カメラ１２１で撮影する利用者をリアルタイム表示する機能を有している。
【００７６】
また、編集部２２０は、第１編集部１４０ａの機能ブロックである第１編集部２２０ａと、第２編集部１４０ｂの機能ブロックである第２編集部２２０ｂとで構成している。なお、第１編集部２２０ａと第２編集部２２０ｂとは同一の構成であり、ここでは第１編集部２２０ａを用いて詳述する。
【００７７】
第１編集部２２０ａは、タブレット内蔵モニタ１４３、１対のタッチペン１４５、及びスピーカ１４４で構成し、それぞれ所定のバスを介して制御装置２０１と接続している。
【００７８】
タブレット内蔵モニタ１４３は、編集用モニタ２２３ａと、タブレット２２３ｂとで構成している。  
編集用モニタ２２３ａは、制御装置２０１の指示により、撮影画像やデモ画面及び広告などを表示する。
【００７９】
タブレット２２３ｂは、利用者がタッチペン１４５を用いてタブレット内蔵モニタ１４３をタップすると、タッチペン１４５がタップした位置情報を取得して、制御装置２０１に位置情報を送信する。
【００８０】
また、事後接客部２３０は、編集ユニット１４０で編集した編集画像をシール紙に印刷するプリンタ２３１、事後接客ユニット１８０の機能ブロックであるタッチパネルモニタ１８１、スピーカ１８２、及び非接触型ＩＣリーダ／ライタ部１８３で構成している。
【００８１】
プリンタ２３１は、制御装置７２から受信する印刷データを、シール紙ユニット２３２に備えられているシール紙２３３に印刷する、及び印刷したシール紙２３３を写真シール排出口１４６に排出する。
【００８２】
タッチパネルモニタ１８１の事後接客用モニタ１８１ａは、制御装置２０１の指示により、デモ画面、広告画面、及びタッチパネルを利用したゲーム画面などを表示する。さらに、タッチパネルモニタ１８１は、利用者がモニタ上をタップした位置情報を取得して制御装置２０１に位置情報を送信する。
【００８３】
次に、写真シール作成装置１００における写真シール作成ゲーム処理の動作について説明する。  
なお、図１１は写真シール作成装置１００の制御装置２０１が実行する写真シール作成ゲーム処理の動作のフローチャートを示している。
【００８４】
まず、写真シール作成装置１００の制御装置２０１は、図１１に示すように、硬貨投入返却口１２７に硬貨が投入されたか否かを判定する（ステップＳ３０１）。硬貨投入返却口１２７に硬貨が投入されなければ、制御装置２０１は、硬貨が投入されるまで待機する（ステップＳ３０１：Ｎｏ）。
【００８５】
一方、硬貨投入返却口１２７にゲーム料金分の硬貨が投入されると（ステップＳ３０１：Ｙｅｓ）、制御装置２０１は、撮影処理を実行する（ステップＳ３０２）。
【００８６】
この撮影処理の際、制御装置２０１は、カメラ１２１で取得している動画映像をライブビューモニタ１２２ａにリアルタイム表示して利用者にポーズをとらせる。また、制御装置２０１は、利用者に選択させた撮影コースに応じて、合成用背景画像や合成用前景画像などの合成用画像と撮影中の動画像を合成した合成動画像をライブビューモニタ１２２ａに表示する。これにより、利用者は、仕上がりイメージを確認しながらポーズを取ることができる。
【００８７】
なお、合成用画像に関して、制御装置２０１は、撮影コースに合った合成用画像を用いるか、撮影開始前に複数種類の合成用画像を選択可能にタッチパネルモニタ１２２に表示して利用者に選択させる。
【００８８】
制御装置２０１は、タッチパネルモニタ１２２の表示とスピーカ１２８による音声でカウントダウンを行い、このカウントダウンの終了タイミングで照明装置２１３に照明制御信号を送信すると共にカメラ１２１にシャッタ信号を送信する。
【００８９】
これにより、照明装置２１２の各ストロボから閃光を照射し、照明された利用者が背景とともに写っている撮影画像をカメラ１２１により取得する。この際、天井中央ストロボユニット１５０の第１天井ストロボ１５４が照射した光源からの光は、拡散板１５６により拡散されて柔らかい光となり、撮影空間Ｓにおける後方寄りの空間の中央付近を明るく照らす。
【００９０】
一方、第２天井ストロボ１５７が照射した光源からの光は、反射板１５９の反射面１５９ｃで多方向に反射、拡散して、撮影空間Ｓにおける後方寄りの空間を広範囲に渡って明るく照らす。
【００９１】
さらに、天井後部ストロボユニット１６０が照射した光源からの光は、アクリル板１６２ｅ、及び１６３ｅでその強さが調節されるとともに、ルーバー１６２ｄ、及び１６３ｄで指向性を向上した照射幅Ｗの光として、利用者の頭部（頭頂部）を集中して明るく照らす。  
なお、撮影処理を複数回繰り返して複数枚の撮影画像を取得する構成にすることが好ましい。
【００９２】
また、制御装置２０１は、取得した撮影画像から背景板や背景カーテンなどのクロマキーシートが写っている部分を切り落として利用者部分を取出し、この利用者部分の画像を選択された合成用背景画像の上に重ねるクロマキー合成を行って合成編集画像を作成する。このようなクロマキー合成を行うことで、撮影時のポーズにあった合成編集画像を作成することができる。
【００９３】
撮影終了後、制御装置２０１は、編集空間への移動案内処理を実行する（ステップＳ３０３）。詳述すると、制御装置２０１は、利用者に対して編集ユニット１４０の前にある編集空間のいずれか一方への移動を促す案内画面をタッチパネルモニタ１２２に表示するとともに、音声による移動案内をスピーカ１２８に出力する。
【００９４】
そして、制御装置２０１は、利用者による合成編集画像の編集を許容する編集処理を実行する（ステップＳ３０４）。詳述すると、制御装置２０１は、ステップＳ３０２で作成した合成編集画像を、タブレット内蔵モニタ１４３に表示し、この合成編集画像に対して利用者がタッチペン１４５でアイコン画像や線画像などを描くことを許容し、編集画像を作成する。
【００９５】
その後、制御装置２０１は、事後接客空間への移動案内処理を実行する（ステップＳ３０５）。詳述すると、制御装置２０１は、利用者に対して写真シール排出口１４６の前への移動を促す案内画面をタブレット内蔵モニタ１４３に表示するとともに、音声による移動案内をスピーカ１４４に出力する。
【００９６】
さらに、制御装置２０１は、編集画像に基づく印刷用画像をシール紙２３３に印刷する印刷処理を実行する（ステップＳ３０６）。詳述すると、制御装置２０１は、タブレット内蔵モニタ１４３で利用者に印刷レイアウトを選択させ、選択された印刷レイアウトに編集画像を配置して印刷用画像を作成し、この印刷用画像をシール紙２３３に印刷する。
【００９７】
そして、制御装置２０１は、シール紙２３３の排出を待つ利用者に対して、事後接客処理を実行する（ステップＳ３０７）。詳述すると、制御装置２０１は、デモ画面、広告画面、あるいは撮影画像または編集画像を任意の携帯端末に送信するゲーム、アンケート入力、ミニゲームなど、適宜の接客処理を実行して、タッチパネルモニタ１８１に表示する。
【００９８】
事後接客処理が終了すると、制御装置２０１は、シール紙２３３の排出処理を実行し（ステップＳ３０８）、印刷完了したシール紙２３３を写真シール排出口１４６から排出し、利用者に写真シールとして提供してゲームを終了する。このようにして、写真シール作成装置１００により利用者の写真を、写真シールとして出力することができる。
【００９９】
以上のような動作を実現する構成の写真シール作成装置１００は、利用者の顔を明るく写すとともに、頭髪に輝くような艶のある写真シールを利用者に提供することができる。
【０１００】
具体的には、天井中央ストロボユニット１５０は、光源からの光を後方斜め下方に向けて拡散照射することにより、利用者が前部ユニット１２０から離れて撮影する、すなわち、利用者が撮影空間Ｓの後方寄りに位置して撮影しても、利用者に十分な照明をあてることができる。これにより、写真シール作成装置１００は、前部ユニット１２０から離れて撮影しても、利用者の顔を明るくした撮影画像を得ることができる。さらに、写真シール作成装置１００は、利用者の前頭部などにおける頭髪に輝くような艶のある撮影画像を得ることができる。
【０１０１】
また、天井後部ストロボユニット１６０の第１後部ストロボ１６２、及び第２後部ストロボ１６３は、利用者の頭部幅と略同等な照射幅Ｗで、利用者の頭上後方から利用者の頭頂部に向けて照射することができる。これにより、写真シール作成装置１００は、光源部１６２ａ、及び１６３ａからの光の照射範囲を限定して、撮影空間Ｓの後方寄りで撮影する利用者の頭頂部の頭髪に輝くような艶、例えば、天使の輪を表現した撮影画像を得ることができる。加えて、照射幅Ｗを限定することで、第１後部ストロボ１６２、及び第２後部ストロボ１６３による逆光を防止して、利用者の顔を明るく写した撮影画像を得ることができる。
【０１０２】
さらに、第１後部ストロボ１６２、及び第２後部ストロボ１６３は、利用者の頭部幅と略同等な照射幅Ｗの光を利用者に照射するため、利用者の側頭部などに光が当たり難くなり、利用者の輪郭がぼやけた撮影画像となることを防止できる。すなわち、写真シール作成装置１００は、利用者の輪郭がはっきりとした撮影画像を得ることができる。また、利用者の輪郭がはっきりとしているので、クロマキー合成を行う際、利用者部分の取出しを確実、かつ容易に行うことができる。
【０１０３】
さらにまた、第１後部ストロボ１６２、及び第２後部ストロボ１６３を横並びに配置したことにより、利用者が二人いる場合においても、それぞれの利用者に適切に照明することができる。
【０１０４】
なお、利用者がカメラ１２１に接近してアップで撮影する場合においては、カメラ上部ストロボ１２３、傘状ストロボ１２４、及び箱状ストロボ１２５により、利用者の顔を明るく写すことができる。  
従って、写真シール作成装置１００は、利用者の顔をはっきり明るく写すとともに、頭髪に輝くような艶のある写真シールを利用者に提供することができる。
【０１０５】
また、第１後部ストロボ１６２、及び第２後部ストロボ１６３に、ルーバー１６２ｄ、及び１６３ｄを備えたことにより、第１後部ストロボ１６２、及び第２後部ストロボ１６３は、光源部１６２ａ、及び１６３ａからの光の指向性を向上して、利用者の頭頂部に向けて照射することができる。すなわち、利用者の輪郭がぼやけた撮影画像となることをより確実に防止するとともに、利用者の頭頂部を確実に照らすことができる。これにより、写真シール作成装置１００は、頭頂部の頭髪に輝くような艶のある撮影画像を得ることができる。
【０１０６】
従って、写真シール作成装置１００は、より確実に利用者の顔をはっきり写すとともに、頭髪に輝くような艶のある写真シールを利用者に提供することができる。
【０１０７】
また、天井中央ストロボユニット１５０を、第１天井ストロボ１５４、及び第２天井ストロボ１５７とで構成することにより、天井中央ストロボユニット１５０は、撮影空間Ｓにおける後方寄りの空間を万遍なく照らすことができる。
【０１０８】
具体的には、第１天井ストロボ１５４は、光を拡散する拡散板１５６により、撮影空間Ｓにおける後方寄りの空間を柔らかい光で照らすことができる。これにより、第１天井ストロボ１５４は、拡散板１５６を介して間接的に利用者を照らすため、撮影時における発光が利用者の表情に影響するおそれがない。また、撮影空間Ｓ内における後方寄りに位置して撮影する利用者を適度に照明して、利用者の顔が明るく、かつ立体感があるとともに、頭髪に艶のある撮影画像を得ることができる。
【０１０９】
一方、第２天井ストロボ１５７は、前方斜め上方に向けて発光した光を、反射板１５９で反射して撮影空間Ｓにおける後方寄りの空間を照らすことができる。そして、第２天井ストロボ１５７は、反射板１５９を介することで、第１天井ストロボ１５４よりも柔らかい光で、広範囲を照らすことができる。これにより、撮影空間Ｓ内にいる複数の利用者の間、あるいは利用者のポーズによって生じる不要な影の発生を抑えることができる。例えば、撮影空間Ｓ内における後方寄りに二人の利用者が肩を並べて位置して、二人の利用者間の前方に一人の利用者が位置するような場合、後方寄りの二人の間に前方の利用者による影が生じることを抑制できる。
【０１１０】
つまり、第１天井ストロボ１５４、及び第２天井ストロボ１５７で構成した天井中央ストロボユニット１５０は、撮影空間Ｓにおける後方寄りの空間を柔らかい光で万遍なく照らすことができる。これにより、写真シール作成装置１００は、利用者の顔を明るく写しながらも、利用者の表情が強張った撮影画像となることを防止できる。
【０１１１】
従って、写真シール作成装置１００は、撮影空間Ｓ内の利用者を万遍なく照明して、利用者の顔をより確実に明るく写すとともに、頭髪に輝くような艶のある写真シールを利用者に提供することができる。
【０１１２】
また、第１後部ストロボ１６２、及び第２後部ストロボ１６３を、肩を並べて位置する二人の利用者における頭部間と略同等の間隔をあけて横並びに配置したことにより、二人の利用者が肩を並べて撮影する場合であっても、天井後部ストロボユニット１６０は、それぞれの利用者の頭頂部を照らすことができる。これにより、写真シール作成装置１００は、それぞれの利用者の頭髪に輝くような艶のある撮影画像を得ることができる。
【０１１３】
従って、写真シール作成装置１００は、撮影空間Ｓ内で二人の利用者が撮影する場合においても、それぞれの利用者の頭髪に輝くような艶のある写真シールを利用者に提供することができる。
【０１１４】
なお、本実施形態において、撮影空間Ｓ内を、天井中央ストロボユニット１５０の照明灯１５３で照明する構成としたが、撮影ユニット１１０の上部の開口率を大きくする、あるいは前部ユニット１２０の利用者と対面する面に小窓などを設けて、外光を取り込むようにしてもよい。さらに、天井中央ストロボユニット１５０の前方、及び後方を照らす間接照明、あるいは傘状ストロボ１２４の背後を照らす間接照明を備えてもよい。これにより、撮影空間Ｓ内において照明灯１５３や外光が届き難く暗くなり易い範囲をより明るくすることができる。
【０１１５】
また、箱状ストロボ１２５の内部に、常時点灯する照明灯を備え、足元ストロボ面１２５ｂをイラスト、あるいは文字を印刷した乳白色のアクリルと透明なアクリル板による２層構造としてもよい。これにより、箱状ストロボ１２５は、撮影空間Ｓ内における装飾、足元照明、及び撮影時における発光機能を兼ね備えることができる。
【０１１６】
また、天井後部ストロボユニット１６０は、図１に示すように、背景カーテンユニット１７０に対して若干間隔をあけて前方に配置することが好ましい。これにより、天井後部ストロボユニット１６０を配置しても、背景カーテンユニット１７０の保守点検が行いやすい。
【０１１７】
また、天井後部ストロボユニット１６０の第１後部ストロボ１６２、第２後部ストロボ１６３は、それぞれ左右方向に独立してスライドする構成としてもよい。あるいは、ルーバー１６２ｄ、及び１６３ｄの上下角を揺動する構成としてもよい。
【０１１８】
例えば、撮影空間Ｓ内において利用者が一人であれば、第１後部ストロボ１６２を中央に移動して、第２後部ストロボ１６３を端部に移動して撮影時に発光しないようにしてもよい。あるいは、カメラ１２１で取得した利用者のリアルタイム映像から人数、立ち位置を識別して自動的に各後部ストロボを利用者の頭上後方に移動するとともに、ルーバー１６２ｄ、及び１６３ｄを適切な角度に揺動してもよい。例えば、利用者が三人で、撮影空間Ｓ内におけるそれぞれ立ち位置が横並びの場合に、第１後部ストロボ１６２、及び第２後部ストロボ１６３を、撮影空間Ｓの外側寄りに位置する二人の利用者の頭上後方に移動するようにしてもよい。
【０１１９】
これにより、写真シール作成装置１００は、撮影空間Ｓ内において、利用者がどのような立ち位置であっても、光源部１６２ａ、及び１６３ａからの光を確実に利用者の頭頂部に照射することができる。  
従って、写真シール作成装置１００は、利用者の頭髪に輝くような艶のある写真シールを利用者に提供することができる。
【０１２０】
この発明の構成と、上述の実施形態との対応において、
この発明の撮影手段は、実施形態の撮影ユニット１１０に対応し、
以下同様に、
編集手段は、編集ユニット１４０に対応し、
印刷手段は、プリンタ２３１に対応し、
中央照明手段は、天井中央ストロボユニット１５０に対応し、
後部照明手段は、第１後部ストロボ１６２、及び第２後部ストロボ１６３に対応し、
指向性部材は、ルーバー１６２ｄ、及び１６３ｄに対応し、
第１照明手段は、第１天井ストロボ１５４に対応し、
第２照明手段は、第２天井ストロボ１５７に対応するが、
この発明は、上述の実施形態の構成のみに限定されるものではなく、多くの実施の形態を得ることができる。
【０１２１】
例えば、第１後部ストロボ１６２における照射面１６２ｂの開口部１６２ｃの別の実施形態である図１２のように、照射面１６２ｂの開口部１６２ｃに、光源１６２ａからの光の指向性を向上するハニカム状の指向性部材１６２ｆを備えることができる。これにより、第１後部ストロボ１６２は、指向性部材１６２ｆによる影を利用者の頭部（頭頂部）に生じにくくすることができる。
【０１２２】
さらに、光源部１６２ａ、及び１６３ａに指向性の高いＬＥＤなどを用いてもよい。これにより、ルーバー１６２ｄや指向性部材１６２ｆを不要にすることができる。
【符号の説明】
【０１２３】
１００…写真シール作成装置
１１０…撮影ユニット
１４０…編集ユニット
１５０…天井中央ストロボユニット
１５４…第１天井ストロボ
１５６…拡散板
１５７…第２天井ストロボ
１５９…反射板
１６２…第１後部ストロボ
１６２ａ…光源部
１６２ｄ…ルーバー
１６２ｆ…指向性部材
１６３…第２後部ストロボ
１６３ａ…光源部
１６３ｄ…ルーバー
２１０…撮影部
２２０…編集部
２３１…プリンタ
Ｓ…撮影空間
Ｗ…照射幅
【図１】
0005375892.tif 000002
【図２】
0005375892.tif 000003
【図３】
0005375892.tif 000004
【図４】
0005375892.tif 000005
【図５】
0005375892.tif 000006
【図６】
0005375892.tif 000007
【図７】
0005375892.tif 000008
【図８】
0005375892.tif 000009
【図９】
0005375892.tif 000010
【図１０】
0005375892.tif 000011
【図１１】
0005375892.tif 000012
【図１２】
0005375892.tif 000013